(57)【要約】【課題】大人が座って使用しても、踏み台は邪魔にならず、また、男性が腰掛便器で立って排尿する時に、腰掛便器の直前の位置に立てて尿の垂れこぼしにより床や踏み台を汚さないようにできる構造であり、また、踏み台の上面が汚れた場合に容易に掃除出来て衛生的に使用できる洋式の腰掛便器の踏み台を提供する。【解決手段】洋式の腰掛便器２に近接配置され、足を置くための一対の補助足置き台３が棒状の連結部４を有してコの字型に形成されてなり、前記一対の補助足置き台３は前記腰掛便器２の左右に配置され、また、前記棒状の連結部４は前記腰掛便器２の前面の下方に配置されるようにした。【選択図】図１
0003123972.tif 000002
【実用新案登録請求の範囲】
【請求項１】
洋式の腰掛便器に近接配置され、足を置くための一対の補助足置き台が棒状の連結部を有してコの字型に形成されてなり、前記一対の補助足置き台は前記腰掛便器の左右に配置され、また、前記棒状の連結部は前記腰掛便器の前面の下方に配置されることを特徴とする洋式の腰掛便器の踏み台。
【請求項２】
前記棒状の連結部は前記一対の補助足置き台の上部の足置き部の先端よりも所定長さ奥まった位置に凹んだ配置で連結されていることを特徴とする請求項１記載の洋式の腰掛便器の踏み台。
【請求項３】
前記各補助足置き台は、下面に粘着シートが固着されたカバーシートを、前記足置き部の上面に装着して着脱可能に設けられている請求項１又は２に記載の洋式の腰掛便器の踏み台。
【考案の詳細な説明】
【技術分野】
【０００１】
本考案は、洋式の腰掛便器において幼児又は小柄な人が使用する踏み台に関するものである。
【背景技術】
【０００２】
幼児又は小柄な人は、洋式の腰掛便器を使用するときに便座が高くて座りにくいので、安全で快適に用の足せるように踏み台を使用している。この種の踏み台として、洋式の腰掛便器を、コの字型に囲むように置いて使用する踏み台が知られている。（特許文献１参照）
【特許文献１】登録実用新案公報第３０４１１５９号
【考案の開示】
【考案が解決しようとする課題】
【０００３】
幼児又は小柄な人が洋式の腰掛便器を使用する施設では、前記踏み台を洋式の腰掛便器をコの字型に囲むように設置して使用されている。洋式の腰掛便器に踏み台が設置されていると、大人が座って使用する際に、踏み台がふくらはぎに当接して邪魔になる。また、男性が腰掛便器で便座を上げて、立って排尿する時に、踏み台の一部が腰掛便器の手前にあるので腰掛便器の直前の位置に立てず、尿の垂れこぼしによって床や踏み台を汚してしまうことがある。また、前記踏み台は幼児が使用すると、どうしても上面が汚れてしまうことがあるが、汚れが雑巾で拭いただけで十分に落ちず水洗いが必要になる場合には、洗い場に踏み台を持ち運んで水洗いすることになるが、このような水洗い作業は大変である等の問題があるため洋式の腰掛便器の踏み台の改善が望まれていた。
【０００４】
この考案は、上記課題を解決するために、大人が座って使用しても、踏み台は邪魔にならず、また、男性が腰掛便器で立って排尿する時に、腰掛便器の直前の位置に立てて尿の垂れこぼしにより床や踏み台を汚さないようにできる構造であり、また、踏み台の上面が汚れた場合に容易に掃除出来て衛生的に使用できる洋式の腰掛便器の踏み台を提供することを目的とする。
【課題を解決するための手段】
【０００５】
上記課題を解決するために、請求項１記載の考案は、洋式の腰掛便器に近接配置され、足を置くための一対の補助足置き台が棒状の連結部を有してコの字型に形成されてなり、前記一対の補助足置き台は前記腰掛便器の左右に配置され、また、前記棒状の連結部は前記腰掛便器の前面の下方に配置されることを特徴とする洋式の腰掛便器の踏み台である。
【０００６】
また、請求項２に記載の考案は、棒状の連結部は前記一対の補助足置き台の上部の足置き部の先端よりも所定長さ奥まった位置に凹んだ配置で連結されていることを特徴とする請求項１記載の洋式の腰掛便器の踏み台である。
【０００７】
また、請求項３に記載の考案は、前記各補助足置き台は、下面に粘着シートが固着されたカバーシートを、前記足置き部の上面に装着して着脱可能に設けられている請求項１又は２に記載の洋式の腰掛便器の踏み台である。
【考案の効果】
【０００８】
本考案の洋式の腰掛便器の踏み台は、一対の補助足置き台を連結する棒状の連結部は、一対の補助足置き台の上部の足置き部の先端よりも所定長さ奥まった位置に凹んで連結しているから、大人が座って使用しても、踏み台は邪魔にならず、また、男性が排尿する時に、腰掛便器の直前の位置に立って排尿できるので、尿の垂れこぼしによって床や踏み台を汚してしまうことはない。そして、足置き部の上面にカバーシートが着脱可能に設けられているから、カバーシートが汚れた場合に、取り外して容易に掃除することが出来るので、衛生的に使用できる。
【考案を実施するための最良の形態】
【０００９】
以下、図面に基づいて本考案の実施の形態を説明する。
【実施例１】
【００１０】
図１は本考案に係る洋式の腰掛便器の踏み台の実施例１の斜視図、図２は洋式の腰掛便器への設置状態の斜視図、図３は実施例１の使用状態を示す側面図である。
【００１１】
図１〜図３において、洋式の腰掛便器の踏み台１は、幼児又は小柄な人が足を置くための一対の補助足置き台３を有しており、洋式の腰掛便器２に近接配置されて使用されるものである。図２、図３に示すように、一対の補助足置き台３は棒状の連結部４を有してコの字型に形成され、各補助足置き台３は腰掛便器２の左右に配置され、棒状の連結部４は腰掛便器２の前面の下方に配置されている。実施例１では、棒状の連結部４として棒材を使用し、一対の補助足置き台３は棒材の両端に連結された構成である。
【００１２】
各補助足置き台３は、下部が脚部５であり、上部が足置き部６となっていて、足置き部６の上面には樹脂製のカバーシート７ａが着脱可能に装着されている。棒状の連結部４は、各足置き部６及びカバーシート７ａの前端よりも所定長さ奥まった位置で各補助足置き台３に連結されている。
【００１３】
各脚部５は、木製であり、２本の角材５ａを、足置き用の板材５ｂの両端部に直交配置してネジＰにて接合してコの字型に形成されている。また、角材５ａの自由端側の下面にはゴム製の滑り止めシート５ｃが接着されている。そして、板材５ｂの上面には、上面が粗面に形成された樹脂板材７ｂが接着剤により固着されて、足置き板材５ｂと樹脂板材７ｂは足置き部６を構成している。カバーシート７ａの下面には、粘着テープ７ｃが粘着されており、樹脂板材７ｂの粗面に形成された上面に着脱可能に装着することができる。
【００１４】
次に、洋式の腰掛便器２をコの字型に囲むように踏み台１を近接配置し、幼児が使用する状態について説明する。図３に示すように、洋式の腰掛便器２は、便座８が設置されており、便座８に付属している蓋８ａを上げておき、常時、幼児Ｂが使用できる状態となっている。幼児Ｂは、踏み台１を利用して、便座８に座ることができ、座った状態で踏み台１のカバーシート７ａに足を置いて必要な姿勢を確保して安全で快適に用を足すことができる。
【００１５】
また、普通の大人が便座８に座った場合には、踏み台１の各補助足置き台３の棒状の連結部４は腰掛便器２の前に位置しているが、各足置き部６の先端よりも所定長さ奥まった位置に凹んで連結されているため、ふくらはぎが踏み台１の棒状の連結部４に当接しないので、不快感はなく、快適に用を足すことができる。また、男性が排尿する時には、腰掛便器２の直前の位置に立って排尿できるので、尿の垂れこぼしによって床や踏み台を汚してしまうことはない。
【００１６】
また、カバーシート７ａが汚れた場合には、足置き部６の上面からカバーシート７ａを取り外して容易に掃除することが出来るので、衛生的に使用できる。なお、足置き部６は、上面が粗面に形成された樹脂板材７ｂを足置き板材５ｂの上面に接着剤により固着して形成しているので、カバーシート７ａを取り外して、粗面に形成された樹脂板材７ｂの上面が露出した状態で、そのまま幼児Ｂが足を置いて使用しても差し支えない。
【００１７】
前述した補助足置き台３の脚部５は、木製であり、２本の角材５ａを足置き板材５ｂの両端部に直交配置したコの字型に形成したものを説明したが、脚部５は、樹脂で同様のコの字型（または脚部５と同様の機能を有する類似の形状）に成形した樹脂製のものでもよい。その場合、樹脂製の脚部５の上部の足置き部の上面を粗面に構成して、粗面の足置き部が樹脂板材７ｂを兼ねるようにして、下面に粘着シート７ｃが粘着されたカバーシート７ａを、足置き部の上面に粘着して着脱可能に構成してもよい。
【００１８】
本考案は、実用新案登録請求の範囲に記載された本考案を逸脱することがなければ、種々の設計変更が可能であり、前記実施例に限定されないことはいうまでもない。
【図面の簡単な説明】
【００１９】
【図１】本考案に係る洋式の腰掛便器の踏み台の実施例１の斜視図である。
【図２】洋式の腰掛便器への設置状態の斜視図である。
【図３】実施例１の使用状態を示す側面図である。
【符号の説明】
【００２０】
１  洋式の腰掛便器の踏み台
２  腰掛便器
３  補助足置き台
４  棒状の連結部
５  脚部
５ａ  角材
５ｂ  足置き板材
５ｃ  滑り止めシート
６  足置き部
７ａ  カバーシート
７ｂ  樹脂板材
８  便座
８ａ  蓋
Ｐ  ネジ
【図１】
0003123972.tif 000003
【図２】
0003123972.tif 000004
【図３】
0003123972.tif 000005